(57)【要約】【課題】  正しい使い方をしても巻き戻りが発生するような紙製のラップフィルム収納容器の持つ弱点に課題を置き、これを解決するための手段を得る。【解決手段】  回動する被せ蓋２の中央には親指が当って押されれば所定の形状に凹み変形が起こるようにあらかじめ限定的な脆弱部分を設けるが、回動する被せ蓋２の親指が当る部分に山形で半円形の切り込み（単独）４Ａもしくは４Ｂ（左右設置）を設け、かつこの半円形の中央が折れるような碇状の折り筋６を入れて舌状体５をなし、親指でこの部分を押したとき、半円形の舌状体５が折り筋と共に内側に倒れるのでラップフィルム８をラップフィルム収納容器の本体前面１や波状等のフラップ１３中央にしっかり密着係止することができるように構成されてなる。【選択図】図１
2016113211.tif 000002
【特許請求の範囲】
【請求項１】
横長直方体であって、紙芯に巻取りされたラップフィルムロールを収納するとともに上方開口部に連接されて回動する被せ蓋の端部には切取刃が有り、しかも、ラップフィルム収納容器の本体前面や波状等のフラップ中央にラップフィルムを密着係止するためニス等で印刷された密着部を持つ紙製のラップフィルム収納容器であって、その回動する被せ蓋の中央には親指が当って押されれば所定の形状に凹み変形が起こるようにあらかじめ限定的な脆弱部分を設けるが、例えば、回動する被せ蓋の親指が当る部分に山形で半円形の切り込みを１個設けて、かつこの半円形の中央が折れるような碇状の折り筋を入れ、親指でこの部分を押したとき、半円形の山形が折り筋と共に内側に倒れるのでラップフィルムをラップフィルム収納容器の本体前面や波状等のフラップ中央にしっかり密着係止できるようすると同時にニス等で印刷された密着部の中央部分を下部に下げて密着面積を大きくして構成されてなる巻き戻り防止ラップフィルム収納容器。
【請求項２】
回動する被せ蓋の親指が当る中央部分に、前記の山形で半円形の切り込みを二個離して設けると同時に左右に分かれた山形で半円形の切り込み同士を結んで横に折り筋を入れて構成される請求項１記載の巻き戻り防止ラップフィルム収納容器。
【発明の詳細な説明】
【技術分野】
【０００１】  本発明はラップフィルムを密着係止するためニス等で印刷された密着部を持つ紙製のラップフィルム収納容器の巻き戻り防止機構に関するものである。
【背景技術】
【０００２】  横長直方体の紙製のラップフィルム収納容器で、紙芯に巻取りされたラップフィルムを収納し、回動する被せ蓋の端部に設けられた切取刃で所定の長さにカットでき、しかもラップフィルム収納容器の本体前面にはラップフィルムが巻き戻らないようにラップフィルムの先端部を密着係止するために印刷された密着部を持ち、更にはラップフィルムを指で摘みやすくするためにラップフィルム収納容器の本体前面を二重にし、かつ、本体前面の表側の紙にのみ切り込み線を入れて本体前面より若干浮かした波状等のフラップをなすものがあった。【０００３】  又、ラップフィルム収納容器の本体前面もしくは波状等のフラップにラップフィルムが巻き戻らないように密着係止するための密着部は、横長直方体の長手方向に対して平行にニス等を単一もしくは複数を印刷するものと、横長直方体に直角に複数印刷されるものがあった。後者には巻き戻りし難くするために中央部のみ幅広にして密着度を高めて中央部の剥離を防止しようとするものもあった。【０００４】  更には回動する被せ蓋の親指があたる中央部に円形突起様のエンボス加工を施して、親指で押したときラップフィルムの密着を補助するものもあった。
【先行技術文献】
【特許文献】
【０００５】
【特許文献１】特開２０１３−２５８７９
【特許文献２】特開２０１２−１０１８１４
【発明の開示】
【発明が解決しようとする課題】
【０００６】  背景技術でも述べたとおり、ラップフィルム収納容器内でラップフィルムが巻き戻りすることがよくあり、対策として前記のようなラップフィルムを密着係止するためニス等で印刷された密着部を持つ巻き戻り防止機構を有するラップフィルム収納容器が種々考案され、その中から実際に製品化されている発明がある。しかし、それでも使い始めは良好でもラップフィルムが少なくなると巻き戻りが起こりやすい問題は解決できていないのが現実であった。消費者にとっては、忙しい料理の時間中にラップフィルムの巻き戻りを直す作業は大きなストレスであり修理せず仕方なく廃棄することも少なくなかった。ゆえに長尺のラップフィルムを使いたくないという消費者も多いといわれる。本発明の目的はこの巻き戻りの原因を探り、より使い勝手の良いラップフィルム収納容器を広く消費者に提供することである。
【課題を解決するための手段】
【０００７】  本発明は、前記課題を解決するために巻き戻りの原因を探り、これを改善しうる手段を得るという方法を採る。【０００８】  実験によれば、ラップフィルムを密着係止するためラップフィルム収納容器本体前面もしくはフラップにニス等で印刷された密着部を持つ巻き戻り防止機構を有するのにもかかわらず巻き戻りが発生してしまう原因は二つに分類できる。一つは正しい使い方をしなかった結果巻き戻る場合と、もう一つは正しい使い方をしていてもラップフィルム収納容器が持つ弱点から巻き戻る場合とに分けられる。基本的な使い方としては、ラップフィルムを必要な分だけ引き出した後にラップフィルム収納容器の回動する被せ蓋を所定の位置までしっかり被せてかつ中央部を親指で押さえてカットするのが一般的である。正しい使い方をせず巻き戻りが発生する例として、忙しい調理中によくあるのが、回動する被せ蓋を所定の位置までしっかり被せずしかも親指でよく押さえもせず半開きの状態でカットしたりすると、回動する被せ蓋を元に戻してもカットしたラップフィルムの先端部の出方が短かいためにラップフィルム収納容器本体前面もしくは波状等のフラップの密着部にしっかり密着せず、しかも親指でしっかり押さえないためにラップフィルムが半ば浮いた状態となり、しかもラップフィルム収納容器の中でラップフィルムロールが回転したり前後左右に動くなどがあった場合である。しかし、消費者が正しい使い方をしなかった結果で巻き戻りが発生しても注意喚起と修復方法の表記以外に対応の手段がないので、後者つまり正しい使い方をしても巻き戻りが発生するようなラップフィルム収納容器の持つ弱点に課題を置き、これを解決するための手段を得る。【０００９】  正しい使い方をしても巻き戻りが発生するようなラップフィルム収納容器の持つ弱点とは何かを探ってみる。機能的に見れば、ラップフィルム収納容器とは単にラップフィルムの収納だけでなく必要な長さにカットして繰り返し使うというハードな要求の紙器である。例えば２０ｍ巻きでも一回平均３０ｃｍカットして使うとして約６０回強も回動する被せ蓋を開け閉めし、親指に力を加えてカットを行う。５０ｍならばもっとハードである。紙器でこのようなシビアな機能と耐久性を要求されるものは他にあまり例がない。そもそもラップフィルム収納容器は紙製なので容器としての剛性は湿気が多いと大きく低下するし、ニス等で印刷されたラップフィルムを係止する密着部も油汚れや埃の付着もあって時間の経過と共に性能が低下していく。紙製ゆえの脆弱性が前記課題を解決できずにいる最大の要因といえる。もっと具体的に云うと、繰り返し使用するのに従い親指で強く押される回動する被せ蓋そしてラップフィルム収納容器本体前面やフラップの中央部分は変形が発生する。折れ皺が付き凹んでしまうのだが、この理由としては、もちろん湿度の問題もあるが、使用回数が多くなるにつれラップフィルムのロールが細くなってラップフィルム収納容器内での遊びと空隙が大きくなってラップフィルム収納容器の剛性が低下し力を受ける中央部の変形が起こりやすくなっていることがあげられる。その上、ラップフィルムのロールの紙管内側に入り込んでラップフィルム収納容器から脱落しないように設けられる紙器的構造も紙製ゆえに時間と共に変形劣化してしまい、これが原因でラップフィルムのロールの転がりや不規則な動きをさせることも確認できた。この動きも、ラップフィルムが係止する密着部から引き剥がす要因として無視できない。一方、回動する被せ蓋の前面中央部も親指で強く押されてやはり折れ皺の発生やそれに伴う凹み変形が起こるが、回動する被せ蓋の裏端部に設けられた横長の切取刃の剛性が回動する被せ蓋の剛性をある程度補完するので折れ皺やそれに伴う凹み変形はラップフィルム収納容器本体前面やフラップの中央部分ほど大きくはならない。つまり折れ皺やそれに伴う凹み変形のできる度合いが違うので、ある程度使用したラップフィルム収納容器は、回動する被せ蓋とラップフィルム収納容器本体前面の中央部やフラップの中央部分との隙間は２〜４ｍｍ位になることもある。【００１０】  このようにラップフィルム収納容器は紙製ゆえに湿度や繰り返し使用により中央部のみが親指による押圧で折れ皺や凹み変形が起こり、しかも剛性の違いによって蓋との間に隙間ができるので、回動する被せ蓋の中央部分を親指で押してもラップフィルムがラップフィルム収納容器の本体前面や波状等のフラップに印刷された密着部にしっかり押圧されず、ラップフィルムのロールの不規則動揺も加わってラップフィルムが密着せず浮いた状態になるのでちょっとしたはずみで巻き戻ってしまう。時には回動する被せ蓋を開けるときに一緒にラップフィルムの端部が反転してロールにくっついてしまう巻き戻りが起こることもある。だから、このようなメカニズムにより、正しく使用しても、徐々にラップフィルムは巻き戻りしやすくなる理由が判明した。巻き戻り防止の最後の砦は、回動する被せ蓋を次に開けた際、前回引き出してカットされた残りのラップフィルムが係止のための密着部にしっかりと付着していることである。【００１１】  そこで、このメカニズムを理解したうえでこの課題を解決する手段を求める。つまり、回動する被せ蓋とラップフィルム収納容器本体前面やフラップの中央部分の変形度合いが異なることで密着不良が起こるのだから、これを解決するには、それぞれの変形度合いを同一にするか又は、回動する被せ蓋の中央を一部切り欠いて直接親指でラップフィルムを密着させるかであろう。しかし、剛性条件の異なるものを同一にするなど不可能に近く、他方で、回動する被せ蓋の中央を一部切り欠いて指で直接ラップフィルムを押し付けるのも衛生面などで問題がある。【００１２】  これらの問題を解消するには、最初から限定的な脆弱部分を設ければ良いとの発想に至った。回動する被せ蓋の親指が当る部分にあらかじめ親指が当って押されれば所定の形状に凹み変形が起こるような加工がなされていれば良い。例えば、回動する被せ蓋の親指が当る部分に山形で半円形の切り込みを１個設け、かつこの半円形の中央を通るような碇状の折り筋を入れておく。親指でこの部分を押したとき、半円形の山形が折り筋と共に容易に内側に倒れるのでラップフィルムをラップフィルム収納容器の本体前面や波状等のフラップ中央にしっかり密着係止することができる。更にはニス等で印刷された密着部の中央部分を下部に下げて密着面積を大きくすれば効果は増大する。【００１３】  又は、やはり回動する被せ蓋の親指が当る中央部分に、前記の山形で半円形の切り込みを二個離してＶ字型に設けると同時に左右に分かれた山形で半円形の切り込み同士を結んで横に折れ筋を入れるが、こうすれば親指にかかる切り込みの縁の当りが緩和できる。
【発明の効果】
【００１４】  以上のように構成される本発明の巻き戻り防止ラップフィルム収納容器は、請求項１及び請求項２ともに回動する被せ蓋の親指が当る部分にあらかじめ親指が当って押されれば所定の形状に凹み変形が起こるような加工がなされるのでラップフィルムがしっかり密着係止できる大きな効果を有する。又、親指の滑り止めのとしての効果も併せ持つ。
【発明を実施するための最良の形態】
【００１５】  本発明については、以下具体的に説明する。なお、以下の実施形態は本発明を説明するための例示であり、本発明はその実施形態にのみに限定されるものではない。なお、同一の要素には同一の符号を付し、重複する説明は省略する。
【実施例】
【００１６】  本発明の実施例を図１から図７に基づき説明する。【００１７】  図１は本発明の請求項１に記載される実施例で、ラップフィルム収納容器の素材や基本的構造は従来のものと同等であるが、回動する被せ蓋の前面３の中央やや上部に山形で半円形の切り込み（単独）４Ａがあって舌状体５を形成する。この舌状体５には碇状の折り筋６が押され、親指で押されたときに容易に内側へ倒れこむようにする。舌状体５の大きさは幅２５ｍｍ、高さは１５ｍｍ内外にして切取刃１０とは最低５ｍｍは離れるようにする。【００１８】  図２は請求項２に記載される実施例で、回動する被せ蓋の前面３の中央やや上部に山形で半円形の切り込み（左右設置）４Ｂがあってそれぞれ舌状体５を形成するが、この左右の舌状体５は前記の山形で半円形の切り込み（単独）４Ａより小さく、幅が１０ｍｍ高さが１５ｍｍ程度とし、それぞれの舌状体５とで構成される押圧部分はやはり幅が２５ｍｍ程度にする。【００１９】  図３及び図４は、ニス等で印刷された密着部７を有する波状等のフラップ１３のタイプで、ニス等で印刷された密着部７は中央部を下に伸ばして密着部分を大きくする。【００２０】  図５及び図６は山形で半円形の切り込み（単独）４Ａと山形で半円形の切り込み（左右設置）４Ｂのそれぞれのタイプを左右の手で操作する状態を示すと同時に、ニス等で印刷された密着部７（灰色の部分）との重なり具合を示す。【００２１】  図７は従来タイプで巻き戻りが起こる原因の一例を断面で示す。変形の度合いの違いで密着不良が起こるのがわかる。
【産業上の利用可能性】
【００２２】  本発明は以上のように構成されているので、巻き戻りの少ないラップフィルム収納容器として広く提供できる。
【図面の簡単な説明】
【図１】  本発明の請求項１に記載される実施例を示す斜視図である。
【図２】  本発明の請求項２に記載される実施例を示す斜視図である。
【図３】  本発明の請求項１に記載される実施例でフラップを有する場合を示す斜視図である。
【図４】  本発明の請求項２に記載される実施例でフラップを有する場合を示す斜視図である。
【図５】  本発明の請求項２に記載される実施例を示す正面図で、左右の手で操作する状態を示す。
【図６】  本発明の請求項１に記載される実施例を示す正面図で、左右の手で操作する状態を示す。
【図７】  巻き戻りが起こる原因の一例を従来の構造の断面で示す。
【符号の説明】
【００２３】１  ラップフィルム収納容器の本体前面
２  回動する被せ蓋
３  回動する被せ蓋の前面
４（Ａ）  山形で半円形の切り込み（単独）
４（Ｂ）  山形で半円形の切り込み（左右設置）
５  舌状体
６  碇状の折り筋
７  ニス等で印刷された密着部
８  ラップフィルム
９  押されて密着されたラップフィルム
１０  切取刃
１１  ラップフィルムロール
１２  左右の舌状体を結ぶ折り筋
１３  波状等のフラップ
【図１】
2016113211.tif 000003
【図２】
2016113211.tif 000004
【図３】
2016113211.tif 000005
【図４】
2016113211.tif 000006
【図５】
2016113211.tif 000007
【図６】
2016113211.tif 000008
【図７】
2016113211.tif 000009